(57)【要約】  本願は、情報伝送のための方法及びデバイスを提供し、当該方法は、端末デバイスが第１数の情報を確定することと、端末デバイスが第２数の情報を確定することと、端末デバイスが第１数の情報及び第２数の情報に基づいて、当前スケジューリングされる伝送ブロックに実際に含まれる符号化ブロックグループに関連する情報を確定することとを含み、第１数の情報は、１つの伝送ブロックに含まれる符号化ブロックグループの数に関連する情報であり、各符号化ブロックグループは、少なくとも１つの符号化ブロックを含み、第２数の情報は、当前スケジューリングされる伝送ブロックに含まれるビットの総数に関連する情報である。本願における情報伝送のための方法は、適当の数量のフィードバック情報を確定し、制御シグナリングのオーバヘッドを低減させ、制御シグナリングの復調性能、システム効率を向上させることができる。
2020511820.tif 000002
【特許請求の範囲】
【請求項１】
端末デバイスが第１数の情報を確定することと、
前記端末デバイスが第２数の情報を確定することと、
前記端末デバイスが前記第１数の情報及び前記第２数の情報に基づいて、現在にスケジューリングされる伝送ブロックに実際に含まれる符号化ブロックグループに関連する情報を確定することとを含み、
前記第１数の情報は、１つの伝送ブロックに含まれる符号化ブロックグループの数に関連する情報であり、各符号化ブロックグループは、少なくとも１つの符号化ブロックを含み、
前記第２数の情報は、現在にスケジューリングされる伝送ブロックに含まれるビットの総数に関連する情報である
ことを特徴とする情報伝送のための方法。
【請求項２】
前記第１数の情報は、１つの伝送ブロックに含まれることができる符号化ブロックグループの最大数、又は、
前記現在にスケジューリングされる伝送ブロックに実際に含まれる符号化ブロックグループの数を示す
ことを特徴とする請求項１に記載の情報伝送のための方法。
【請求項３】
前記第２数の情報は、前記当前スケジューリングされる伝送ブロックに含まれるビットの総数、又は、
前記当前スケジューリングされる伝送ブロック内の各符号化ブロックグループに含まれるビットの数を示す
ことを特徴とする請求項１又は２に記載の情報伝送のための方法。
【請求項４】
前記当前スケジューリングされる伝送ブロックに実際に含まれる符号化ブロックグループに関連する情報は、
前記当前スケジューリングされる伝送ブロックに実際に含まれる符号化ブロックグループの数であり、又は、
前記当前スケジューリングされる伝送ブロックに実際に含まれる符号化ブロックグループの数及び各符号化ブロックグループに含まれる符号化ブロックの数である
ことを特徴とする請求項１〜３のいずれか１項に記載の情報伝送のための方法。
【請求項５】
前記第１数の情報は、１つの伝送ブロックに含まれることができる符号化ブロックグループの最大数を示し、
前記当前スケジューリングされる伝送ブロックに実際に含まれる符号化ブロックグループに関連する情報は、前記当前スケジューリングされる伝送ブロックに実際に含まれる符号化ブロックグループの数であり、
前記端末デバイスが前記第１数の情報及び前記第２数の情報に基づいて、現在にスケジューリングされる伝送ブロックに実際に含まれる符号化ブロックグループに関連する情報を確定することは、
前記端末デバイスが前記第２数の情報に基づいて、前記当前スケジューリングされる伝送ブロックに実際に含まれる符号化ブロックの数を確定することと、
前記端末デバイスが１つの伝送ブロックに含まれることができる符号化ブロックグループの最大数及び前記伝送ブロックに実際に含まれる符号化ブロックの数に基づいて、前記当前スケジューリングされる伝送ブロックに実際に含まれる符号化ブロックグループの数を確定することとを含む
ことを特徴とする請求項４に記載の情報伝送のための方法。
【請求項６】
前記端末デバイスが１つの伝送ブロックに含まれることができる符号化ブロックグループの最大数及び前記当前スケジューリングされる伝送ブロックに実際に含まれる符号化ブロックの数に基づいて、前記当前スケジューリングされる伝送ブロックに実際に含まれる符号化ブロックグループの数を確定することは、
前記端末デバイスが、１つの伝送ブロックに含まれることができる符号化ブロックグループの最大数及び前記当前スケジューリングされる伝送ブロックに実際に含まれる符号化ブロックの数のうちの小さい値を、前記当前スケジューリングされる伝送ブロックに実際に含まれる符号化ブロックグループの数として確定することを含む
ことを特徴とする請求項５に記載の情報伝送のための方法。
【請求項７】
前記端末デバイスが１つの伝送ブロックに含まれることができる符号化ブロックグループの最大数を、前記当前スケジューリングされる伝送ブロックに実際に含まれる符号化ブロックグループの数として確定する場合、
前記方法は、さらに、
前記端末デバイスが前記当前スケジューリングされる伝送ブロックに実際に含まれる符号化ブロックグループの数及び前記当前スケジューリングされる伝送ブロックに実際に含まれる符号化ブロックの数に基づいて、各符号化ブロックグループに含まれる符号化ブロックの数を確定することを含む
ことを特徴とする請求項５又は６に記載の情報伝送のための方法。
【請求項８】
前記当前スケジューリングされる伝送ブロックに実際に含まれる符号化ブロックグループに関連する情報は、前記当前スケジューリングされる伝送ブロックに実際に含まれる符号化ブロックグループの数及び各符号化ブロックグループに含まれる符号化ブロックの数であり、
前記端末デバイスが前記第１数及び前記第２数の情報に基づいて、前記当前スケジューリングされる伝送ブロックに実際に含まれる符号化ブロックグループに関連する情報を確定することは、
前記端末デバイスが、前記第１数の情報が現在にスケジューリングされる伝送ブロックに実際に含まれる符号化ブロックグループの数を示すと確定する場合、前記第１数の情報が示す数を前記当前スケジューリングされる伝送ブロックに実際に含まれる符号化グループの数として確定することと、
前記端末デバイスが前記第２数の情報に基づいて、前記当前スケジューリングされる伝送ブロック内の各符号化ブロックグループに含まれる符号化ブロックの数を確定することとを含む
ことを特徴とする請求項４に記載の情報伝送のための方法。
【請求項９】
前記端末デバイスが前記第２数の情報に基づいて、前記当前スケジューリングされる伝送ブロック内の各符号化ブロックグループに含まれる符号化ブロックの数を確定することは、
前記端末デバイスが前記第２数の情報及び１つの符号化ブロックに含まれることができるビットの最大数に基づいて、各符号化ブロックグループに含まれる符号化ブロックの数を確定することを含む
ことを特徴とする請求項８に記載の情報伝送のための方法。
【請求項１０】
前記各符号化ブロックグループに複数の符号化ブロックが含まれる場合、前記各符号化ブロックグループに含まれる複数の符号化ブロックの番号は、連続したものである
ことを特徴とする請求項１〜９のいずれか１項に記載の情報伝送のための方法。
【請求項１１】
前記端末デバイスが多種の伝送構成をサポートし、
前記伝送構成は、サービスタイプ構成、伝送時間間隔構成及び基本パラメータセット構成のいずれかを含み、
前記方法は、さらに、
前記端末デバイスが現在の伝送構成に基づいて、１つの符号化ブロックに含まれることができるビットの最大数を確定することを含む
ことを特徴とする請求項９に記載の情報伝送のための方法。
【請求項１２】
前記各符号化ブロックグループに搬送される情報が１つの共通巡回冗長検査ＣＲＣ情報に対応し、且つ、前記各符号化ブロックグループに含まれる各符号化ブロックに搬送される情報が１つの専用ＣＲＣ情報に対応する
ことを特徴とする請求項１〜１１のいずれか１項に記載の情報伝送のための方法。
【請求項１３】
前記当前スケジューリングされる伝送ブロックが下り伝送の伝送ブロックである場合、前記方法は、さらに、
前記端末デバイスが前記当前スケジューリングされる伝送ブロックに実際に含まれる符号化ブロックグループのうちの伝送失敗した符号化ブロックグループを確定することと、
前記端末デバイスが前記伝送失敗した符号化ブロックグループに基づいて、フィードバック情報を確定することとを含む
ことを特徴とする請求項１２に記載の情報伝送のための方法。
【請求項１４】
前記端末デバイスが前記当前スケジューリングされる伝送ブロックに実際に含まれる符号化ブロックグループのうちの伝送失敗した符号化ブロックグループを確定することは、
前記端末デバイスが第１符号化ブロックグループ内の各符号化ブロックに搬送される情報に対応する専用ＣＲＣ情報に基づいて、前記第１符号化ブロックグループにデコード失敗した符号化ブロックが存在すると確定する場合、前記第１符号化ブロックグループを伝送失敗した符号化ブロックグループとして確定すること、
又は、
前記端末デバイスが第１符号化ブロックグループに搬送される情報に対応する共通ＣＲＣ情報に基づいて、前記第１符号化ブロックグループのチェックが失敗すると確定する場合、前記第１符号化ブロックグループを伝送失敗した符号化ブロックグループとして確定することを含み、
前記第１符号化ブロックグループは、前記当前スケジューリングされる伝送ブロックに実際に含まれる符号化ブロックグループのいずれかの符号化ブロックグループである
ことを特徴とする請求項１３に記載の情報伝送のための方法。
【請求項１５】
前記当前スケジューリングされる伝送ブロックが上り伝送の伝送ブロックである場合、前記方法は、さらに、
前記端末デバイスがスケジューリングシグナリングを受信することと、
前記端末デバイスが一部の符号化ブロックグループを再送することとを含み、
前記スケジューリングシグナリングは、前記当前スケジューリングされる伝送ブロックに実際に含まれる符号化ブロックグループ内の一部の符号化ブロックグループの再送を示す
ことを特徴とする請求項１〜１１のいずれか１項に記載の情報伝送のための方法。
【請求項１６】
ネットワークデバイスが第１数の情報を確定することと、
前記ネットワークデバイスが端末デバイスに第２数の情報を送信することと、
前記ネットワークデバイスが前記第１数の情報及び前記第２数の情報に基づいて、当前スケジューリングされる伝送ブロックに実際に含まれる符号化ブロックグループに関連する情報を確定することとを含み、
前記第１数の情報は、１つの伝送ブロックに含まれる符号化ブロックグループの数に関連する情報であり、各符号化ブロックグループは、少なくとも１つの符号化ブロックを含み、
前記第２数の情報は、現在にスケジューリングされる伝送ブロックに含まれるビットの総数に関連する情報である
ことを特徴とする情報伝送のための方法。
【請求項１７】
前記当前スケジューリングされる伝送ブロックに実際に含まれる符号化ブロックグループに関連する情報は、前記当前スケジューリングされる伝送ブロックに実際に含まれる符号化ブロックグループの数であり、又は、
前記当前スケジューリングされる伝送ブロックに実際に含まれる符号化ブロックグループの数及び各符号化ブロックグループに含まれる符号化ブロックの数である
ことを特徴とする請求項１６に記載の情報伝送のための方法。
【請求項１８】
前記第１数の情報は、１つの伝送ブロックに含まれることができる符号化ブロックグループの最大数を示し、前記当前スケジューリングされる伝送ブロックに実際に含まれる符号化ブロックグループに関連する情報は、前記当前スケジューリングされる伝送ブロックに実際に含まれる符号化ブロックグループの数であり、
前記ネットワークデバイスが前記第１数の情報及び前記第２数の情報に基づいて、前記当前スケジューリングされる伝送ブロックに実際に含まれる符号化ブロックグループに関連する情報を確定することは、
前記ネットワークデバイスが前記第２数の情報に基づいて、前記当前スケジューリングされる伝送ブロックに実際に含まれる符号化ブロックの数を確定することと、
前記ネットワークデバイスが１つの伝送ブロックに含まれることができる符号化ブロックグループの最大数及び前記伝送ブロックに実際に含まれる符号化ブロックの数に基づいて、前記当前スケジューリングされる伝送ブロックに実際に含まれる符号化ブロックグループの数を確定することとを含む
ことを特徴とする請求項１７に記載の情報伝送のための方法。
【請求項１９】
前記ネットワークデバイスが１つの伝送ブロックに含まれることができる符号化ブロックグループの最大数及び前記当前スケジューリングされる伝送ブロックに実際に含まれる符号化ブロックの数に基づいて、前記当前スケジューリングされる伝送ブロックに実際に含まれる符号化ブロックグループの数を確定することは、
前記ネットワークデバイスが１つの伝送ブロックに含まれることができる符号化ブロックグループの最大数及び前記当前スケジューリングされる伝送ブロックに実際に含まれる符号化ブロックの数のうちの小さい値を、前記当前スケジューリングされる伝送ブロックに実際に含まれる符号化ブロックグループの数として確定することを含む
ことを特徴とする請求項１８に記載の情報伝送のための方法。
【請求項２０】
前記当前スケジューリングされる伝送ブロックが下り伝送の伝送ブロックである場合、前記方法は、さらに、
前記ネットワークデバイスが端末デバイスからのフィードバック情報を受信することと、
前記ネットワークデバイスが前記フィードバック情報に基づいて、前記当前スケジューリングされる伝送ブロックに実際に含まれる符号化ブロックグループのうちの伝送失敗した符号化ブロックグループを確定することとを含む
ことを特徴とする請求項１６〜１９のいずれか１項に記載の情報伝送のための方法。
【請求項２１】
前記当前スケジューリングされる伝送ブロックが上り伝送の伝送ブロックである場合、前記方法は、さらに、
前記ネットワークデバイスがスケジューリングシグナリングを送信することを含み、
前記スケジューリングシグナリングは、前記当前スケジューリングされる伝送ブロックに実際に含まれる符号化ブロックグループ内の一部の符号化ブロックグループの再送を示す
ことを特徴とする請求項１６〜１９のいずれか１項に記載の情報伝送のための方法。
【請求項２２】
第１数の情報及び第２数の情報を確定するように構成される第１処理モジュールと、
前記第１数の情報及び前記第２数の情報に基づいて、当前スケジューリングされる伝送ブロックに実際に含まれる符号化ブロックグループに関連する情報を確定するように構成される第２処理モジュールとを含み、
前記第１数の情報は、１つの伝送ブロックに含まれる符号化ブロックグループの数に関連する情報であり、各符号化ブロックグループは、少なくとも１つの符号化ブロックを含み、
前記第２数の情報は、現在にスケジューリングされる伝送ブロックに含まれるビットの総数に関連する情報である
ことを特徴とする端末デバイス。
【請求項２３】
前記第１数の情報は、１つの伝送ブロックに含まれることができる符号化ブロックグループの最大数を示し、又は、
前記現在にスケジューリングされる伝送ブロックに実際に含まれる符号化ブロックグループの数を示す
ことを特徴とする請求項２２に記載の端末デバイス。
【請求項２４】
前記第２数の情報は、前記当前スケジューリングされる伝送ブロックに含まれるビットの総数を示し、又は、
前記当前スケジューリングされる伝送ブロック内の各符号化ブロックグループに含まれるビットの数を示す
ことを特徴とする請求項２２又は２３に記載の端末デバイス。
【請求項２５】
前記当前スケジューリングされる伝送ブロックに実際に含まれる符号化ブロックグループに関連する情報は、前記当前スケジューリングされる伝送ブロックに実際に含まれる符号化ブロックグループの数であり、又は、
前記当前スケジューリングされる伝送ブロックに実際に含まれる符号化ブロックグループの数及び各符号化ブロックグループに含まれる符号化ブロックの数である
ことを特徴とする請求項２２〜２４のいずれか１項に記載の端末デバイス。
【請求項２６】
前記第１数の情報は、１つの伝送ブロックに含まれることができる符号化ブロックグループの最大数を示し、前記当前スケジューリングされる伝送ブロックに実際に含まれる符号化ブロックグループに関連する情報は、前記当前スケジューリングされる伝送ブロックに実際に含まれる符号化ブロックグループの数であり、
前記第２処理モジュールは、
前記第２数の情報に基づいて、前記当前スケジューリングされる伝送ブロックに実際に含まれる符号化ブロックの数を確定し、
１つの伝送ブロックに含まれることができる符号化ブロックグループの最大数及び前記伝送ブロックに実際に含まれる符号化ブロックの数に基づいて、前記当前スケジューリングされる伝送ブロックに実際に含まれる符号化ブロックグループの数を確定するように構成される
ことを特徴とする請求項２５に記載の端末デバイス。
【請求項２７】
前記第２処理モジュールは、
１つの伝送ブロックに含まれることができる符号化ブロックグループの最大数及び前記当前スケジューリングされる伝送ブロックに実際に含まれる符号化ブロックの数のうちの小さい値を、前記当前スケジューリングされる伝送ブロックに実際に含まれる符号化ブロックグループの数として確定するように構成される
ことを特徴とする請求項２６に記載の端末デバイス。
【請求項２８】
前記第２処理モジュールは、１つの伝送ブロックに含まれることができる符号化ブロックグループの最大数を前記当前スケジューリングされる伝送ブロックに実際に含まれる符号化ブロックグループの数として確定する場合、
前記当前スケジューリングされる伝送ブロックに実際に含まれる符号化ブロックグループの数及び前記当前スケジューリングされる伝送ブロックに実際に含まれる符号化ブロックの数に基づいて、各符号化ブロックグループに含まれる符号化ブロックの数を確定するように構成される
ことを特徴とする請求項２６又は２７に記載の端末デバイス。
【請求項２９】
前記当前スケジューリングされる伝送ブロックに実際に含まれる符号化ブロックグループに関連する情報は、前記当前スケジューリングされる伝送ブロックに実際に含まれる符号化ブロックグループの数及び各符号化ブロックグループに含まれる符号化ブロックの数であり、
前記第２処理モジュールは、
前記第１数の情報が前記現在にスケジューリングされる伝送ブロックに実際に含まれる符号化ブロックグループの数を示すと確定する場合、前記第１数の情報が示す数を前記当前スケジューリングされる伝送ブロックに実際に含まれる符号化グループの数として確定し、
前記第２数の情報に基づいて、前記当前スケジューリングされる伝送ブロック内の各符号化ブロックグループに含まれる符号化ブロックの数を確定するように構成される
ことを特徴とする請求項２５に記載の端末デバイス。
【請求項３０】
前記第２処理モジュールは、
前記第２数の情報及び１つの符号化ブロックに含まれることができるビットの最大数に基づいて、各符号化ブロックグループに含まれる符号化ブロックの数を確定するように構成される
ことを特徴とする請求項２９に記載の端末デバイス。
【請求項３１】
前記各符号化ブロックグループに複数の符号化ブロックが含まれる場合、前記各符号化ブロックグループに含まれる複数の符号化ブロックの番号は、連続したものである
ことを特徴とする請求項２２〜３０のいずれか１項に記載の端末デバイス。
【請求項３２】
前記端末デバイスが多種の伝送構成をサポートし、前記伝送構成は、サービスタイプ構成、伝送時間間隔構成及び基本パラメータセット構成のいずれかを含み、
前記第２処理モジュールは、さらに、
現在の伝送構成に基づいて、１つの符号化ブロックに含まれることができるビットの最大数を確定するように構成される
ことを特徴とする請求項３０に記載の端末デバイス。
【請求項３３】
前記各符号化ブロックグループに搬送される情報が１つの共通巡回冗長検査ＣＲＣ情報に対応し、且つ、前記各符号化ブロックグループに含まれる各符号化ブロックに搬送される情報が１つの専用ＣＲＣ情報に対応する
ことを特徴とする請求項２２〜３２のいずれか１項に記載の端末デバイス。
【請求項３４】
前記当前スケジューリングされる伝送ブロックが下り伝送の伝送ブロックである場合、前記第２処理モジュールは、さらに、
前記当前スケジューリングされる伝送ブロックに実際に含まれる符号化ブロックグループのうちの伝送失敗した符号化ブロックグループを確定し、
前記伝送失敗した符号化ブロックグループに基づいて、フィードバック情報を確定するように構成される
ことを特徴とする請求項３３に記載の端末デバイス。
【請求項３５】
前記第２処理モジュールは、
第１符号化ブロックグループ内の各符号化ブロックに搬送される情報に対応する専用ＣＲＣ情報に基づいて、前記第１符号化ブロックグループにデコード失敗した符号化ブロックが存在すると確定する場合、前記第１符号化ブロックグループを伝送失敗した符号化ブロックグループとして確定し、又は、
第１符号化ブロックグループに搬送される情報に対応する共通ＣＲＣ情報に基づいて前記第１符号化ブロックグループのチェック失敗すると確定する場合、前記第１符号化ブロックグループを伝送失敗した符号化ブロックグループとして確定するように構成され、
前記第１符号化ブロックグループは、前記当前スケジューリングされる伝送ブロックに実際に含まれる符号化ブロックグループのいずれかの符号化ブロックグループである
ことを特徴とする請求項３４に記載の端末デバイス。
【請求項３６】
前記端末デバイスは、送受信モジュールをさらに含み、
前記当前スケジューリングされる伝送ブロックが上り伝送の伝送ブロックである場合、前記送受信モジュールは、
スケジューリングシグナリングを受信し、一部の符号化ブロックグループを再送するように構成され、
前記スケジューリングシグナリングは、前記当前スケジューリングされる伝送ブロックに実際に含まれる符号化ブロックグループ内の一部の符号化ブロックグループの再送を示す
ことを特徴とする請求項２２〜３２のいずれか１項に記載の端末デバイス。
【請求項３７】
第１数の情報を確定するように構成される処理モジュールと、
端末デバイスに第２数の情報を送信するように構成される送受信モジュールと、を含み、
前記第１数の情報は、１つの伝送ブロックに含まれる符号化ブロックグループの数に関連する情報であり、各符号化ブロックグループは、少なくとも１つの符号化ブロックを含み、
前記第２数の情報は、現在にスケジューリングされる伝送ブロックに含まれるビットの総数に関連する情報であり、
前記処理モジュールは、さらに、前記第１数の情報及び前記第２数の情報に基づいて、前記当前スケジューリングされる伝送ブロックに実際に含まれる符号化ブロックグループに関連する情報を確定するように構成される
ことを特徴とするネットワークデバイス。
【請求項３８】
前記当前スケジューリングされる伝送ブロックに実際に含まれる符号化ブロックグループに関連する情報は、前記当前スケジューリングされる伝送ブロックに実際に含まれる符号化ブロックグループの数であり、又は、
前記当前スケジューリングされる伝送ブロックに実際に含まれる符号化ブロックグループの数及び各符号化ブロックグループに含まれる符号化ブロックの数である
ことを特徴とする請求項３７に記載のネットワークデバイス。
【請求項３９】
前記第１数の情報は、１つの伝送ブロックに含まれることができる符号化ブロックグループの最大数を示し、前記当前スケジューリングされる伝送ブロックに実際に含まれる符号化ブロックグループに関連する情報は、前記当前スケジューリングされる伝送ブロックに実際に含まれる符号化ブロックグループの数であり、
前記処理モジュールは、
前記第２数の情報に基づいて、前記当前スケジューリングされる伝送ブロックに実際に含まれる符号化ブロックの数を確定し、
１つの伝送ブロックに含まれることができる符号化ブロックグループの最大数及び前記伝送ブロックに実際に含まれる符号化ブロックの数に基づいて、前記当前スケジューリングされる伝送ブロックに実際に含まれる符号化ブロックグループの数を確定するように構成される
ことを特徴とする請求項３８に記載のネットワークデバイス。
【請求項４０】
前記処理モジュールは、
１つの伝送ブロックに含まれることができる符号化ブロックグループの最大数及び前記当前スケジューリングされる伝送ブロックに実際に含まれる符号化ブロックの数のうちの小さい値を、前記当前スケジューリングされる伝送ブロックに実際に含まれる符号化ブロックグループの数として確定するように構成される
ことを特徴とする請求項３９に記載のネットワークデバイス。
【請求項４１】
前記当前スケジューリングされる伝送ブロックが下り伝送の伝送ブロックである場合、前記送受信モジュールは、さらに、
端末デバイスからのフィードバック情報を受信するように構成され、
前記処理モジュールは、さらに、前記フィードバック情報に基づいて、前記当前スケジューリングされる伝送ブロックに実際に含まれる符号化ブロックグループのうちの伝送失敗した符号化ブロックグループを確定するように構成される
ことを特徴とする請求項３７〜４０のいずれか１項に記載のネットワークデバイス。
【請求項４２】
前記当前スケジューリングされる伝送ブロックが上り伝送の伝送ブロックである場合、前記送受信モジュールは、さらに、
スケジューリングシグナリングを送信するように構成され、
前記スケジューリングシグナリングは、前記当前スケジューリングされる伝送ブロックに実際に含まれる符号化ブロックグループ内の一部の符号化ブロックグループの再送を示す
ことを特徴とする請求項３７〜４０のいずれか１項に記載のネットワークデバイス。
【発明の詳細な説明】
【技術分野】
【０００１】
本願の実施例は、通信分野に関し、具体的に、情報伝送のための方法及びデバイスに関連する。
【背景技術】
【０００２】
従来の通信システムにおいて、受信側のデバイスは、１つの伝送ブロックにおいて異なる符号化ブロックについて、送信側のデバイスにフィードバック（ＡＣＫ：Ａｃｋｎｏｗｌｅｄｇｅｍｅｎｔ）／（ＮＡＣＫ：Ｎｅｇａｔｉｖｅ  Ａｃｋｎｏｗｌｅｄｇｍｅｎｔ）情報を送信する。送信側デバイスは、フィードバック情報に基づいてデコード失敗した符号化ブロックを再送する。１つの伝送ブロックに大量の符号化ブロックが含まれる場合、上記の情報フィードバックの方法により、システムの制御シグナリングオーバヘッドが非常に大きくなり、制御シグナリングの復調性能、システム効率を低下する。
【０００３】
そして、１つの伝送ブロックについて、適当のフィードバック情報の数を確定することは、解決しようとする課題である。
【発明の概要】
【０００４】
本願は、適当の数量のフィードバック情報を確定し、制御シグナリングのオーバヘッドを低減させ、制御シグナリングの復調性能、システム効率を向上させることができる情報伝送のための方法及びデバイスを提供する。
【０００５】
第１形態は、情報伝送のための方法を提供し、端末デバイスが第１数の情報を確定することと、前記端末デバイスが第２数の情報を確定することと、前記端末デバイスが前記第１数の情報及び前記第２数の情報に基づいて、現在にスケジューリングされる伝送ブロックに実際に含まれる符号化ブロックグループに関連する情報を確定することとを含み、前記第１数の情報は、１つの伝送ブロックに含まれる符号化ブロックグループの数に関連する情報であり、各符号化ブロックグループは、少なくとも１つの符号化ブロックを含み、前記第２数の情報は、現在にスケジューリングされる伝送ブロックに含まれるビットの総数に関連する情報である。
【０００６】
本願に係る情報伝送のための方法において、端末デバイスは、１つの伝送ブロックに含まれる符号化ブロックグループの数に関連する情報及び当前スケジューリングされる伝送ブロックに含まれるビットの総数に関連する情報に基づいて、当前スケジューリングされる伝送ブロックに実際に含まれる符号化ブロックグループに関連する情報を確定する。これにより、端末デバイスは、当前スケジューリングされる伝送ブロックに実際に含まれる符号化ブロックグループに関連する情報に基づいて当前スケジューリングされる伝送ブロック中に実際に含まれる符号化ブロックグループの数を確定し、符号化ブロックグループに対しフィードバックを行う場合、符号化ブロックグループの数に基づいて適当の数量のフィードバック情報を確定し、制御シグナリングのオーバヘッドを低減させ、制御シグナリングの復調性能、システム効率を向上させることができる。
【０００７】
第１形態と結合し、第１形態の実現形態において、前記第１数の情報は、１つの伝送ブロックに含まれることができる符号化ブロックグループの最大数を示し、又は、前記現在にスケジューリングされる伝送ブロックに実際に含まれる符号化ブロックグループの数を示す。
【０００８】
第１形態及び上記の実現形態と結合し、第１形態の他の実現形態において、前記第２数の情報は、前記当前スケジューリングされる伝送ブロックに含まれるビットの総数を示し、又は、前記当前スケジューリングされる伝送ブロック内の各符号化ブロックに含まれるビットの数を示す。
【０００９】
第１形態及び上記の実現形態と結合し、第１形態の他の実現形態において、前記当前スケジューリングされる伝送ブロックに実際に含まれる符号化ブロックグループに関連する情報は、前記当前スケジューリングされる伝送ブロックに実際に含まれる符号化ブロックグループの数であり、又は、前記当前スケジューリングされる伝送ブロックに実際に含まれる符号化ブロックグループに関連する情報は、前記当前スケジューリングされる伝送ブロックに実際に含まれる符号化ブロックグループの数及び各符号化ブロックグループに含まれる符号化ブロックの数である。
【００１０】
第１形態及び上記の実現形態と結合し、第１形態の他の実現形態において、前記第１数の情報は、１つの伝送ブロックに含まれることができる符号化ブロックグループの最大数を示し、前記当前スケジューリングされる伝送ブロックに実際に含まれる符号化ブロックグループに関連する情報は、前記当前スケジューリングされる伝送ブロックに実際に含まれる符号化ブロックグループの数であり、
ここで、前記端末デバイスが前記第１数の情報及び前記第２数の情報に基づいて、現在にスケジューリングされる伝送ブロックに実際に含まれる符号化ブロックグループに関連する情報を確定することは、前記端末デバイスが前記第２数の情報に基づいて、前記当前スケジューリングされる伝送ブロックに実際に含まれる符号化ブロックの数を確定することと、前記端末デバイスが１つの伝送ブロックに含まれることができる符号化ブロックグループの最大数及び前記伝送ブロックに実際に含まれる符号化ブロックの数に基づいて、前記当前スケジューリングされる伝送ブロックに実際に含まれる符号化ブロックグループの数を確定することとを含む。
【００１１】
選択可能で、端末デバイスは、当前スケジューリングされる伝送ブロックに含まれるビットの総数と１つの符号化ブロックに含まれることができるビットの最大数との比率を切り上げた値を、当前スケジューリングされる伝送ブロックに実際に含まれる符号化ブロックの数として確定する。
【００１２】
第１形態及び上記の実現形態と結合し、第１形態の他の実現形態において、前記端末デバイスが１つの伝送ブロックに含まれることができる符号化ブロックグループの最大数及び前記当前スケジューリングされる伝送ブロックに実際に含まれる符号化ブロックの数に基づいて、前記当前スケジューリングされる伝送ブロックに実際に含まれる符号化ブロックグループの数を確定することは、前記端末デバイスが、１つの伝送ブロックに含まれることができる符号化ブロックグループの最大数及び前記当前スケジューリングされる伝送ブロックに実際に含まれる符号化ブロックの数のうちの小さい値を、前記当前スケジューリングされる伝送ブロックに実際に含まれる符号化ブロックグループの数として確定することを含む。
【００１３】
第１形態及び上記の実現形態と結合し、第１形態の他の実現形態において、前記端末デバイスが１つの伝送ブロックに含まれることができる符号化ブロックグループの最大数を前記当前スケジューリングされる伝送ブロックに実際に含まれる符号化ブロックグループの数として確定する場合、前記方法は、さらに、前記端末デバイスが前記当前スケジューリングされる伝送ブロックに実際に含まれる符号化ブロックグループの数及び前記当前スケジューリングされる伝送ブロックに実際に含まれる符号化ブロックの数に基づいて、各符号化ブロックグループに含まれる符号化ブロックの数を確定することを含む。
【００１４】
第１形態及び上記の実現形態と結合し、第１形態の他の実現形態において、前記当前スケジューリングされる伝送ブロックに実際に含まれる符号化ブロックグループに関連する情報は、前記当前スケジューリングされる伝送ブロックに実際に含まれる符号化ブロックグループの数及び各符号化ブロックグループに含まれる符号化ブロックの数であり、
ここで、前記端末デバイスが前記第１数及び前記第２数の情報に基づいて、前記当前スケジューリングされる伝送ブロックに実際に含まれる符号化ブロックグループに関連する情報を確定することは、前記端末デバイスが、前記第１数の情報が現在にスケジューリングされる伝送ブロックに実際に含まれる符号化ブロックグループの数を示すと確定する場合、前記第１数の情報が示す数を前記当前スケジューリングされる伝送ブロックに実際に含まれる符号化グループの数として確定することと、前記端末デバイスが前記第２数の情報に基づいて、前記当前スケジューリングされる伝送ブロック内の各符号化ブロックグループに含まれる符号化ブロックの数を確定することとを含む。
【００１５】
第１形態及び上記の実現形態と結合し、第１形態の他の実現形態において、前記端末デバイスが前記第２数の情報に基づいて、前記当前スケジューリングされる伝送ブロック内の各符号化ブロックグループに含まれる符号化ブロックの数を確定することは、前記端末デバイスが前記第２数の情報及び１つの符号化ブロックに含まれることができるビットの最大数に基づいて、各符号化ブロックグループに含まれる符号化ブロックの数を確定することを含む。
【００１６】
第１形態及び上記の実現形態と結合し、第１形態の他の実現形態において、前記各符号化ブロックグループに複数の符号化ブロックが含まれる場合、前記各符号化ブロックグループに含まれる複数の符号化ブロックの番号は、連続したものである。
【００１７】
第１形態及び上記の実現形態と結合し、第１形態の他の実現形態において、前記端末デバイスが多種の伝送構成をサポートし、ここで、前記伝送構成は、サービスタイプ構成、伝送時間間隔構成及び基本パラメータセット構成のいずれかを含み、前記方法は、さらに、前記端末デバイスが現在の伝送構成に基づいて、１つの符号化ブロックに含まれることができるビットの最大数を確定することを含む。
【００１８】
第１形態及び上記の実現形態と結合し、第１形態の他の実現形態において、前記各符号化ブロックグループに搬送される情報が１つの共通巡回冗長検査ＣＲＣ情報に対応し、且つ、前記各符号化ブロックグループに含まれる各符号化ブロックに搬送される情報が１つの専用ＣＲＣ情報に対応する。
【００１９】
第１形態及び上記の実現形態と結合し、第１形態の他の実現形態において、前記当前スケジューリングされる伝送ブロックが下り伝送の伝送ブロックである場合、前記方法は、さらに、前記端末デバイスが前記当前スケジューリングされる伝送ブロックに実際に含まれる符号化ブロックグループのうちの伝送失敗した符号化ブロックグループを確定することと、前記端末デバイスが前記伝送失敗した符号化ブロックグループに基づいて、フィードバック情報を確定することとを含む。
【００２０】
選択可能で、フィードバック情報は、伝送失敗した符号化ブロックグループを示すためのＮＡＣＫ情報である。
【００２１】
第１形態及び上記の実現形態と結合し、第１形態の他の実現形態において、前記端末デバイスが前記当前スケジューリングされる伝送ブロックに実際に含まれる符号化ブロックグループのうちの伝送失敗した符号化ブロックグループを確定することは、前記端末デバイスが第１符号化ブロックグループ内の各符号化ブロックに搬送される情報に対応する専用ＣＲＣ情報に基づいて、前記第１符号化ブロックグループにデコード失敗した符号化ブロックが存在すると確定する場合、前記第１符号化ブロックグループを伝送失敗した符号化ブロックグループとして確定することを含み、又は、前記端末デバイスが第１符号化ブロックグループに搬送される情報に対応する共通ＣＲＣ情報に基づいて、前記第１符号化ブロックグループのチェックが失敗すると確定する場合、前記第１符号化ブロックグループを伝送失敗した符号化ブロックグループとして確定することを含み、前記第１符号化ブロックグループは、前記当前スケジューリングされる伝送ブロックに実際に含まれる符号化ブロックグループのいずれかの符号化ブロックグループである。
【００２２】
第１形態及び上記の実現形態と結合し、第１形態の他の実現形態において、前記当前スケジューリングされる伝送ブロックが上り伝送の伝送ブロックである場合、前記方法は、さらに、
前記端末デバイスがスケジューリングシグナリングを受信することと、前記端末デバイスが前記一部の符号化ブロックグループを再送することとを含み、前記スケジューリングシグナリングは、前記当前スケジューリングされる伝送ブロックに実際に含まれる符号化ブロックグループ内の一部の符号化ブロックグループの再送を示す。
【００２３】
これによって、端末デバイスがスケジューリングシグナリングが示す符号化ブロックグループのみを再送すればよく、システム効率を向上させることができる。
【００２４】
第２形態は、情報伝送のための方法を提供し、ネットワークデバイスが第１数の情報を確定することと、前記ネットワークデバイスが端末デバイスに第２数の情報を送信することと、前記ネットワークデバイスが前記第１数の情報及び前記第２数の情報に基づいて、前記当前スケジューリングされる伝送ブロックに実際に含まれる符号化ブロックグループに関連する情報を確定することとを含み、前記第１数の情報は、１つの伝送ブロックに含まれる符号化ブロックグループの数に関連する情報であり、各符号化ブロックグループは、少なくとも１つの符号化ブロックを含み、前記第２数の情報は、現在にスケジューリングされる伝送ブロックに含まれるビットの総数に関連する情報である。
【００２５】
本願に係る情報伝送のための方法において、ネットワークデバイスは、１つの伝送ブロックに含まれる符号化ブロックグループの数に関連する情報及び当前スケジューリングされる伝送ブロックに含まれるビットの総数に関連する情報に基づいて、当前スケジューリングされる伝送ブロックに実際に含まれる符号化ブロックグループに関連する情報を確定する。さらに、ネットワークデバイスが端末デバイスに第２数の情報を送信して、端末デバイスが確定した第１数及び受信した第２数の情報に基づいて、当前スケジューリングされる伝送ブロックに実際に含まれる符号化ブロックグループに関連する情報を確定することができる。これによって、端末デバイス又はネットワークデバイスは、当前スケジューリングされる伝送ブロックに実際に含まれる符号化ブロックグループに関連する情報に基づいて、当前スケジューリングされる伝送ブロックに実際に含まれる符号化グループの数を確定し、符号化ブロックグループに対しフィードバックを行う場合、符号化ブロックグループの数に基づいて適当の数量のフィードバック情報を確定し、制御シグナリングのオーバヘッドを低減させ、制御シグナリングの復調性能、システム効率を向上させることができる。
【００２６】
第２形態と結合し、第２形態の実現形態において、前記当前スケジューリングされる伝送ブロックに実際に含まれる符号化ブロックグループに関連する情報は、前記当前スケジューリングされる伝送ブロックに実際に含まれる符号化ブロックグループの数であり、又は、前記当前スケジューリングされる伝送ブロックに実際に含まれる符号化ブロックグループに関連する情報は、前記当前スケジューリングされる伝送ブロックに実際に含まれる符号化ブロックグループの数及び各符号化ブロックグループに含まれる符号化ブロックの数である。
【００２７】
第２形態及び上記の実現形態と結合し、第２形態の他の実現形態において、前記第１数の情報は、１つの伝送ブロックに含まれることができる符号化ブロックグループの最大数を示し、前記当前スケジューリングされる伝送ブロックに実際に含まれる符号化ブロックグループに関連する情報は、前記当前スケジューリングされる伝送ブロックに実際に含まれる符号化ブロックグループの数であり、
ここで、前記ネットワークデバイスが前記第１数の情報及び前記第２数の情報に基づいて、前記当前スケジューリングされる伝送ブロックに実際に含まれる符号化ブロックグループに関連する情報を確定することは、前記ネットワークデバイスが前記第２数の情報に基づいて、前記当前スケジューリングされる伝送ブロックに実際に含まれる符号化ブロックの数を確定することと、前記ネットワークデバイスが１つの伝送ブロックに含まれることができる符号化ブロックグループの最大数及び前記伝送ブロックに実際に含まれる符号化ブロックの数に基づいて、前記当前スケジューリングされる伝送ブロックに実際に含まれる符号化ブロックグループの数を確定することとを含む。
【００２８】
第２形態及び上記の実現形態と結合し、第２形態の他の実現形態において、前記ネットワークデバイスが１つの伝送ブロックに含まれることができる符号化ブロックグループの最大数及び前記当前スケジューリングされる伝送ブロックに実際に含まれる符号化ブロックの数に基づいて、前記当前スケジューリングされる伝送ブロックに実際に含まれる符号化ブロックグループの数を確定することは、前記ネットワークデバイスが１つの伝送ブロックに含まれることができる符号化ブロックグループの最大数及び前記当前スケジューリングされる伝送ブロックに実際に含まれる符号化ブロックの数のうちの小さい値を、前記当前スケジューリングされる伝送ブロックに実際に含まれる符号化ブロックグループの数として確定することを含む。
【００２９】
第２形態及び上記の実現形態と結合し、第２形態の他の実現形態において、前記当前スケジューリングされる伝送ブロックが下り伝送の伝送ブロックである場合、前記方法は、さらに、前記ネットワークデバイスが端末デバイスからのフィードバック情報を受信することと、前記ネットワークデバイスが前記フィードバック情報に基づいて、前記当前スケジューリングされる伝送ブロックに実際に含まれる符号化ブロックグループのうちの伝送失敗した符号化ブロックグループを確定することとを含む。
【００３０】
第２形態及び上記の実現形態と結合し、第２形態の他の実現形態において、前記当前スケジューリングされる伝送ブロックが上り伝送の伝送ブロックである場合、前記方法は、さらに、前記ネットワークデバイスがスケジューリングシグナリングを送信することを含み、前記スケジューリングシグナリングは、前記当前スケジューリングされる伝送ブロックに実際に含まれる符号化ブロックグループ内の一部の符号化ブロックグループの再送を示す。
【００３１】
第３形態は、上記の第１形態又は第１形態の任意の可能な実現形態の方法を実行するための端末デバイスを提供する。具体的に、前記端末デバイスは、上記の第１形態又は第１形態の任意の可能な実現形態の方法を実行するための機能モジュールを備える。
【００３２】
第４形態は、上記の第２形態又は第２形態の任意の可能な実現形態の方法を実行するためのネットワークデバイスを提供する。具体的に、前記ネットワークデバイスは、上記の第２形態又は第２形態の任意の可能な実現形態の方法を実行するための機能モジュールを備える。
【００３３】
第５形態は、プロセッサ、メモリ及び送受信機を含む端末デバイスを提供する。前記プロセッサ、前記メモリ及び前記送受信機は、内部の接続通路で通信し、データ信号を伝送及び／又は制御して、前記端末デバイスが上記の第１形態又は第１形態の任意の可能な実現形態の方法を実行する。
【００３４】
第６形態は、プロセッサ、メモリ及び送受信機を含むネットワークデバイスを提供する。前記プロセッサ、前記メモリ及び前記送受信機は、内部の接続通路で通信し、データ信号を伝送及び／又は制御して、前記ネットワークデバイスが上記の第２形態又は第２形態の任意の可能な実現形態の方法を実行する。
【００３５】
第７形態は、コンピュータプログラムを記憶するためのコンピュータ可読媒体を提供し、前記コンピュータプログラムは、上記の第１形態又は第１形態の任意の可能な実現形態の方法を実行するための命令を記憶する。
【００３６】
第８形態は、コンピュータプログラムを記憶するためのコンピュータ可読媒体を提供し、前記コンピュータプログラムは、上記の第２形態又は第２形態の任意の可能な実現形態の方法を実行するための命令を記憶する。
【図面の簡単な説明】
【００３７】
【図１】本願の実施例における情報伝送のための方法のフローチャートである。
【図２】本願の実施例における符号化ブロックグループの模式図である。
【図３】本願の実施例における符号化ブロックグループの他の模式図である
【図４】本願の実施例における符号化ブロックグループの他の模式図である
【図５】本願の他の実施例における情報伝送のための方法フローチャートである
【図６】本願の実施例における端末デバイスのブロック図である。
【図７】本願の実施例における端末デバイスの他のブロック図である。
【図８】本願の実施例におけるネットワークデバイスのブロック図である。
【図９】本願の他の実施例における端末デバイスのブロック図である。
【図１０】本願の他の実施例におけるネットワークデバイスのブロック図である。
【発明を実施するための形態】
【００３８】
以下、図面を基づいて、本発明の実施例に係る技術案を説明する。
【００３９】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時間分割複信（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、未来の進化型ＰＬＭＮ（Ｐｕｂｌｉｃ  Ｌａｎｄ  Ｍｏｂｉｌｅ  Ｎｅｔｗｏｒｋ）、未来の５Ｇシステム、新しいラジオ（ＮＲ：Ｎｅｗ  Ｒａｄｉｏ）システム等などに応用されることができる。
【００４０】
本願の実施例において、端末デバイスは、移動台（ＭＳ：Ｍｏｂｉｌｅ  Ｓｔａｔｉｏｎ）、移動端末（Ｍｏｂｉｌｅ  Ｔｅｒｍｉｎａｌ）、モバイル電話（Ｍｏｂｉｌｅ  Ｔｅｌｅｐｈｏｎｅ）、ユーザー装置（ＵＥ：Ｕｓｅｒ  Ｅｑｕｉｐｍｅｎｔ）、ハンドセット（ｈａｎｄｓｅｔ）及び携帯機器（ｐｏｒｔａｂｌｅ  ｅｑｕｉｐｍｅｎｔ）を含むが、これらに限定されず、当該端末デバイスは、無線アクセスネットワーク（ＲＡＮ：Ｒａｄｉｏ  Ａｃｃｅｓｓ  Ｎｅｔｗｏｒｋ）を介して１つ以上のコアネットワークと通信することができ、例えば、端末は移動電話（「セルラ」電話とも言われる）、移動端末を備えるコンピューターであっても良いし、携帯型、ポケット型、ハンドヘルド型、コンピュータ内蔵又は車載の移動装置であってもよい。
【００４１】
本願の実施例におけるネットワークデバイスは、無線アクセスネットワークに設けられ端末デバイスに無線通信機能を提供するデバイスである。前記ネットワークデバイスは、マクロ基地局、マイクロ基地局、中継局、アクセスポイント等である。異なる無線アクセス技術を採用するシステムにおいて、基地局の機能を有するデバイスの名称が異なる可能性がある。例えば、ＬＴＥネットワークにおいて、進化ノードＢ（Ｅｖｏｌｖｅｄ  ＮｏｄｅＢ、ｅＮＢ又はｅＮｏｄｅＢ）、第３世帯（３Ｇ：３ｒｄ  Ｇｅｎｅｒａｔｉｏｎ）ネットワークにおいて、ノードＢ（Ｎｏｄｅ  Ｂ）等と呼ぶ。
【００４２】
なお、本願の実施例において、上り伝送は、端末デバイスがネットワークデバイスに情報を送信する過程であり、下り伝送は、ネットワークデバイスが端末デバイスに情報を送信する過程である。
【００４３】
図１は本願の実施例における情報伝送のための方法を示す。図１に示すように、方法１００は、Ｓ１１０〜Ｓ１３０を含む。
【００４４】
Ｓ１１０において、端末デバイスが第１数の情報を確定し、前記第１数の情報は、１つの伝送ブロックに含まれる符号化ブロックグループの数に関連する情報であり、各符号化ブロックグループは、少なくとも１つの符号化ブロックを含む。
【００４５】
Ｓ１２０において、前記端末デバイスが第２数の情報を確定し、前記第２数の情報は、現在にスケジューリングされる伝送ブロックに含まれるビットの総数に関連する情報である。
【００４６】
Ｓ１３０において、前記端末デバイスが前記第１数の情報及び前記第２数の情報に基づいて、現在にスケジューリングされる伝送ブロックに実際に含まれる符号化ブロックグループに関連する情報を確定する。
【００４７】
本願の実施例における情報伝送のための方法によって、端末デバイスは、１つの伝送ブロックに含まれる符号化ブロックグループの数に関連する情報及び当前スケジューリングされる伝送ブロックに含まれるビットの総数に関連する情報に基づいて、当前スケジューリングされる伝送ブロックに実際に含まれる符号化ブロックグループに関連する情報を確定する。これによって、端末デバイスは、当前スケジューリングされる伝送ブロックに実際に含まれる符号化ブロックグループに関連する情報に基づいて当前スケジューリングされる伝送ブロック中に実際に含まれる符号化ブロックグループの数を確定し、符号化ブロックグループに対しフィードバックを行う場合、符号化ブロックグループの数に基づいて適当の数量のフィードバック情報を確定し、制御シグナリングのオーバヘッドを低減させ、制御シグナリングの復調性能、システム効率を向上させることができる。
【００４８】
選択可能で、Ｓ１１０において、第１数の情報は、１つの伝送ブロックに含まれることができる符号化ブロックグループの最大数を示し、つまり、第１数の情報は、１つの伝送ブロックが分割された符号化ブロックグループの最大数を示す。この場合、端末デバイスは、ネットワークデバイスからの高レイヤシグナリングを受信し、高レイヤシグナリングに基づいて第１数の情報を確定する。又は、１つの伝送ブロックに含まれることができる符号化ブロックグループの最大数は、予め約定されたものである。
【００４９】
又は、Ｓ１１０において、第１数の情報は、当前スケジューリングされる伝送ブロックに実際に含まれる符号化ブロックグループの数を示し、又は、第１数の情報は、当前スケジューリングされる伝送ブロックが実際分割された符号化ブロックグループの数を示す。この場合、端末デバイスは、ネットワークデバイスからの下り制御シグナリングを受信し、下り制御シグナリングに基づいて第１数の情報を確定する。
【００５０】
選択可能で、Ｓ１２０において、第２数の情報は、当前スケジューリングされる伝送ブロックに含まれるビットの総数示し、又は、第２数の情報は、当前スケジューリングされる伝送ブロック内の各符号化ブロックグループに含まれるビットの数を示す。この場合、端末デバイスは、ネットワークデバイスからのシグナリングを受信し、受信したシグナリングに基づいて第２数の情報を確定する。
【００５１】
選択可能で、Ｓ１３０において、当前スケジューリングされる伝送ブロックに実際に含まれる符号化ブロックグループに関連する情報は、前記当前スケジューリングされる伝送ブロックに実際に含まれる符号化ブロックグループの数であり、又は、当前スケジューリングされる伝送ブロックに実際に含まれる符号化ブロックグループに関連する情報は、前記当前スケジューリングされる伝送ブロックに実際に含まれる符号化ブロックグループ及び各符号化ブロックグループに含まれる符号化ブロックの数である。
【００５２】
選択可能で、いくつかの実施例において、端末デバイスは、以下の式（１）で当前スケジューリングされる伝送ブロックに実際に含まれる符号化ブロックグループの数Ｎを確定し、
【数１】
2020511820.tif 000003
ここで、ｍｉｎ（）は、小さい値の取得の演算を示し、Ａは、１つの伝送ブロックに含まれることができる符号化ブロックグループの最大数を示し、
2020511820.tif 000004
は、当前スケジューリングされる伝送ブロックに実際に含まれる符号化ブロックの数を示す。ここで、
2020511820.tif 000005
の値は、ネットワークデバイスがシグナリングで端末デバイスに指示したものであっても良いし、端末デバイスが第２数の情報に基づいて確定したものであっても良い。
【００５３】
例えば、１つの伝送ブロックに含まれることができる符号化ブロックグループの最大数が１０であり、当前スケジューリングされる伝送ブロックに実際に含まれる符号化ブロックの数が３０である場合、端末デバイスは、１０を当前スケジューリングされる伝送ブロックに実際に含まれる符号化ブロックグループの数として確定する。１つの伝送ブロックに含まれることができる符号化ブロックグループの最大数が１０であり、当前スケジューリングされる伝送ブロックに実際に含まれる符号化ブロックの数が８である場合、端末デバイスは、８を当前スケジューリングされる伝送ブロックに実際に含まれる符号化ブロックグループの数として確定する。
【００５４】
選択可能で、いくつかの実施例において、端末デバイスが第２数の情報に基づいて当前スケジューリングされる伝送ブロックに実際に含まれる符号化ブロックの数を確定することは、端末デバイスが以下の式（２）に基づいて当前スケジューリングされる伝送ブロックに実際に含まれる符号化ブロックの数を確定することであり、
【数２】
2020511820.tif 000006
ここで、
2020511820.tif 000007
は、切り上げの演算を示し、
2020511820.tif 000008
は、当前スケジューリングされる伝送ブロックに含まれるビットの総数を示し、
2020511820.tif 000009
は、１つの符号化ブロックに含まれることができるビットの最大数を示す。
【００５５】
なお、式（２）内の
2020511820.tif 000010
の値は、予め約定され又はネットワークデバイスにより構成されたものである。さらに、端末デバイスが多種の伝送構成をサポートする場合、伝送構成によって
2020511820.tif 000011
の値は異なる。そして、端末デバイスは、現在の伝送構成に基づいて
2020511820.tif 000012
の値を確定する必要がある。例えば、端末デバイスが多種のサービスタイプ（例えば、Ｅｎｈａｎｃｅ  Ｍｏｂｉｌｅ  Ｂｒｏａｄｂａｎｄ）、ＵＲＬＬＣ（Ｕｌｔｒａ  Ｒｅｌｉａｂｌｅ＆Ｌｏｗ  Ｌａｔｅｎｃｙ  Ｃｏｍｍｕｎｉｃａｔｉｏｎ）をサポートし、異なるサービスタイプに対応する
2020511820.tif 000013
の値は異なり、及び／又は、端末デバイスが多種の伝送時間間隔（例えば、スロット（ｓｌｏｔ）、ミニスロット（ｍｉｎｉ−ｓｌｏｔ）をサポートし、異なる伝送時間間隔に対応する
2020511820.tif 000014
の値は異なり、及び／又は、端末デバイスが多種の基本パラメータセット（Ｎｕｍｅｒｏｌｏｇｙ）をサポートし、異なる基本パラメータセットに対応する
2020511820.tif 000015
の値は異なる。
【００５６】
さらに、
2020511820.tif 000016
の場合、又は、当前スケジューリングされる伝送ブロックに実際に含まれる符号化ブロックグループの数が１つの伝送ブロックに含まれることができる符号化ブロックグループの最大数である場合、端末デバイスは、当前スケジューリングされる伝送ブロックに実際に含まれる符号化ブロックグループの数
2020511820.tif 000017
及び当前スケジューリングされる伝送ブロックに実際に含まれる符号化ブロックの数に基づいて、各符号化ブロックグループに含まれる符号化ブロックの数を確定する。
【００５７】
選択可能で、いくつかの実施例において、端末デバイスは、当前スケジューリングされる伝送ブロックに実際に含まれる
2020511820.tif 000018
個の符号化ブロックグループにおいて、
2020511820.tif 000019
個の符号化ブロックグループが
2020511820.tif 000020
個の符号化ブロックを含み、余剰の符号化ブロックグループ内の各符号化ブロックグループが
2020511820.tif 000021
個の符号化ブロックを含むと確定する。
【００５８】
又は、端末デバイスは、当前スケジューリングされる伝送ブロックに実際に含まれるＮ個のブロックグループのうち、
2020511820.tif 000022
個の符号化ブロックグループが
2020511820.tif 000023
個の符号化ブロックを含み、余剰の符号化ブロックグループ内の各符号化ブロックグループが
2020511820.tif 000024
を含むと確定する。
【００５９】
例えば、
2020511820.tif 000025
である場合、端末デバイスは、３つの符号化ブロックグループにおいて、２つの符号化ブロックグループが３つの符号化ブロックを含み、１つの符号化ブロックグループが２つの符号化ブロックを含むと確定する。
【００６０】
さらに、なお、当前スケジューリングされる伝送ブロックに実際に含まれる符号化ブロックグループの数が当前スケジューリングされる伝送ブロックに実際に含まれる符号化ブロックの数である場合、各符号化ブロックグループに１つの符号化ブロックが含まれる。
【００６１】
本願の実施例において、選択可能で、端末デバイスが第１数の情報及び第２数の情報に基づいて当前スケジューリングされる伝送ブロックに実際に含まれる符号化ブロックグループの数及び各符号化ブロックグループに含まれる符号化ブロックの数を確定し、第１数の情報は、当前スケジューリングされる伝送ブロックに実際に含まれる符号化ブロックグループの数を示す場合、端末デバイスは、第１数の情報が示す数を当前スケジューリングされる伝送ブロックに実際に含まれる符号化ブロックグループの数として確定する。さらに、端末デバイスは、第２数の情報に基づいて、当前スケジューリングされる伝送ブロック内の各符号化ブロックグループに含まれる符号化ブロックの数を確定する。
【００６２】
選択可能で、例として、各符号化ブロックグループに含まれる
2020511820.tif 000026
であり、ここで、
2020511820.tif 000027
は、各符号化ブロックグループに含まれるビットの数を示す。
【００６３】
上記の実施例において、選択可能で、当前スケジューリングされる伝送ブロックに実際に含まれる符号化ブロックグループに複数の符号化ブロックが含まれる場合、各符号化ブロックグループに含まれる複数の符号化ブロックの番号は、連続したものである。図２に示すように、当前スケジューリングされる伝送ブロックに３つの符号化ブロックグループが含まれ、符号化ブロックグループ１、符号化ブロックグループ２及び符号化ブロックグループ３であり、ここで、符号化ブロックグループ１は、番号のＣＢ０、ＣＢ１及びＣＢ２の符号化ブロックを含み、符号化ブロックグループ２は、番号のＣＢ３、ＣＢ４及びＣＢ５の符号化ブロックを含み、符号化ブロックグループ３は、番号のＣＢ５、ＣＢ６及びＣＢ７の符号化ブロックを含む。
【００６４】
さらに、図３及び図４に示すように、各符号化ブロックグループに搬送される情報が１つの共通巡回冗長検査（ＣＲＣ：Ｃｙｃｌｉｃ  Ｒｅｄｕｎｄａｎｃｙ  Ｃｈｅｃｋ）情報に対応し、且つ、各符号化ブロックグループに含まれる各符号化ブロックに搬送される情報が１つの専用ＣＲＣ情報に対応する。
【００６５】
本願の実施例において、選択可能で、当前スケジューリングされる伝送ブロックが下り伝送の伝送ブロックである場合、端末デバイスは、当前スケジューリングされる伝送ブロックに実際に含まれる符号化ブロックグループのうちの伝送失敗した符号化ブロックグループを確定した後、伝送失敗した符号化ブロックグループに基づいて、フィードバック情報を確定する。
【００６６】
選択可能で、上記のフィードバック情報は、伝送失敗した符号化ブロックグループのＮＡＣＫ情報を示し、ネットワークデバイスは、ＮＡＣＫ情報を受信した場合、ＮＡＣＫ情報に基づいて伝送失敗した符号化ブロックグループを直接に確定することができる。
【００６７】
又は、上記のフィードバック情報は、正確に伝送した符号化ブロックグループのＡＣＫ情報を示し、ネットワークデバイスは、ＡＣＫ情報に基づいて正確に伝送した符号化ブロックグループを確定し、さらに、伝送失敗した符号化ブロックグループを確定することができる。
【００６８】
又は、上記のフィードバック情報は、ＡＣＫ情報及びＮＡＣＫ情報を含み、ネットワークデバイスは、ＮＡＣＫ情報に基づいて伝送失敗した符号化ブロックグループを直接に確定する。
【００６９】
これによって、端末デバイスは、符号化ブロックグループに対しフィードバックを行い、各符号化ブロックに対しフィードバックを行う方法と比べ、制御シグナリングオーバヘッドを低減させ、制御シグナリングの復調性能、システム効率を向上させることができる。
【００７０】
具体的に、いくつかの実施例において、端末デバイスが当前スケジューリングされる伝送ブロックに実際に含まれる符号化ブロックグループのうちの伝送失敗した符号化ブロックグループを確定することは、以下の２つの方式で行う。
【００７１】
方式一として、端末デバイスは、各符号化ブロックに搬送される情報に対応する専用ＣＲＣ情報に基づいて、１つの符号化ブロックグループ内の全ての符号化ブロックに対しデコードを行い、この符号化ブロックグループにデコード失敗した符号化ブロックが存在する場合、この符号化ブロックグループを伝送失敗した符号化ブロックグループとして確定する。
【００７２】
方式二として、端末デバイスは、１つの符号化ブロックグループに搬送される情報に対応する共通ＣＲＣ情報に基づいて、符号化ブロックグループをチェックし、この符号化ブロックグループのチェックが失敗する場合、この符号化ブロックグループを伝送失敗した符号化ブロックグループとして確定する。
【００７３】
本願の実施例において、選択可能で、当前スケジューリングされる伝送ブロックが上り伝送の伝送ブロックである場合、端末デバイスは、スケジューリング情報を受信し、前記スケジューリングシグナリングは、当前スケジューリングされる伝送ブロックに実際に含まれる符号化ブロックグループ内の一部の符号化ブロックグループの再送を示し、次に、端末デバイスは、一部の符号化ブロックグループを再送する。これによって、端末デバイスは、伝送スケジューリングシグナリングが示す符号化ブロックグループのみを再送すればよく、システム効率を向上させることができる。
【００７４】
以上、図１〜図４を参照し、端末デバイス側から本願の実施例における情報伝送のための方法を説明し、以下、図５を参照し、ネットワークデバイス側から本願の実施例における情報伝送のための方法を説明する。なお、ネットワークデバイス側におけるネットワークデバイスと端末デバイスとのやりとりは、端末デバイス側の説明と同じであり、簡潔のため、ここで説明を省略する。
【００７５】
図５は本願の他の実施例における情報伝送のための方法を示し、図５に示すように、方法２００は、Ｓ２１０〜Ｓ２３０を含む。
【００７６】
Ｓ２１０において、ネットワークデバイスが第１数の情報を確定し、前記第１数の情報は、１つの伝送ブロックに含まれる符号化ブロックグループの数に関連する情報であり、各符号化ブロックグループは、少なくとも１つの符号化ブロックを含む。
【００７７】
Ｓ２２０において、前記ネットワークデバイスが端末デバイスに第２数の情報を送信し、前記第２数の情報は、現在にスケジューリングされる伝送ブロックに含まれるビットの総数に関連する情報である。
【００７８】
Ｓ２３０において、前記ネットワークデバイスが前記第１数の情報及び前記第２数の情報に基づいて、前記当前スケジューリングされる伝送ブロックに実際に含まれる符号化ブロックグループに関連する情報を確定する。
【００７９】
本願における情報伝送のための方法によって、ネットワークデバイスは、１つの伝送ブロックに含まれる符号化ブロックグループの数に関連する情報及び当前スケジューリングされる伝送ブロックに含まれるビットの総数に関連する情報に基づいて、当前スケジューリングされる伝送ブロックに実際に含まれる符号化ブロックグループに関連する情報を確定する。さらに、ネットワークデバイスが端末デバイスに第２数の情報を送信して、端末デバイスが確定した第１数及び受信した第２数の情報に基づいて、当前スケジューリングされる伝送ブロックに実際に含まれる符号化ブロックグループに関連する情報を確定する。これによって、端末デバイス又はネットワークデバイスは、当前スケジューリングされる伝送ブロックに実際に含まれる符号化ブロックグループに関連する情報に基づいて、当前スケジューリングされる伝送ブロックに実際に含まれる符号化グループの数を確定することができ、符号化ブロックグループに対しフィードバックを行う場合、符号化ブロックグループの数に基づいて適当の数量のフィードバック情報を確定し、制御シグナリングのオーバヘッドを低減させ、制御シグナリングの復調性能、システム効率を向上させることができる。
【００８０】
本願の実施例において、選択可能で、前記当前スケジューリングされる伝送ブロックに実際に含まれる符号化ブロックグループに関連する情報は、前記当前スケジューリングされる伝送ブロックに実際に含まれる符号化ブロックグループの数であり、又は、
前記当前スケジューリングされる伝送ブロックに実際に含まれる符号化ブロックグループに関連する情報は、前記当前スケジューリングされる伝送ブロックに実際に含まれる符号化ブロックグループの数及び各符号化ブロックグループに含まれる符号化ブロックの数である。
【００８１】
本願の実施例において、選択可能で、前記第１数の情報は、１つの伝送ブロックに含まれることができる符号化ブロックグループの最大数を示し、前記当前スケジューリングされる伝送ブロックに実際に含まれる符号化ブロックグループに関連する情報は、前記当前スケジューリングされる伝送ブロックに実際に含まれる符号化ブロックグループの数である。
【００８２】
ここで、Ｓ２３０において、具体的に、前記ネットワークデバイスが前記第２数の情報に基づいて、前記当前スケジューリングされる伝送ブロックに実際に含まれる符号化ブロックの数を確定し、前記ネットワークデバイスが１つの伝送ブロックに含まれることができる符号化ブロックグループの最大数及び前記伝送ブロックに実際に含まれる符号化ブロックの数に基づいて、前記当前スケジューリングされる伝送ブロックに実際に含まれる符号化ブロックグループの数を確定する。
【００８３】
本願の実施例において、選択可能で、前記ネットワークデバイスが１つの伝送ブロックに含まれることができる符号化ブロックグループの最大数及び前記当前スケジューリングされる伝送ブロックに実際に含まれる符号化ブロックの数に基づいて、前記当前スケジューリングされる伝送ブロックに実際に含まれる符号化ブロックグループの数を確定することは、前記ネットワークデバイスが１つの伝送ブロックに含まれることができる符号化ブロックグループの最大数及び前記当前スケジューリングされる伝送ブロックに実際に含まれる符号化ブロックの数のうちの小さい値を、前記当前スケジューリングされる伝送ブロックに実際に含まれる符号化ブロックグループの数として確定することを含む。
【００８４】
本願の実施例において、選択可能で、前記当前スケジューリングされる伝送ブロックが下り伝送の伝送ブロックである場合、前記方法２００は、さらに、前記ネットワークデバイスが端末デバイスからのフィードバック情報を受信することと、前記ネットワークデバイスが前記フィードバック情報に基づいて、前記当前スケジューリングされる伝送ブロックに実際に含まれる符号化ブロックグループのうちの伝送失敗した符号化ブロックグループを確定することとを含む。
【００８５】
本願の実施例において、選択可能で、前記当前スケジューリングされる伝送ブロックが上り伝送の伝送ブロックである場合、前記方法２００は、さらに、前記ネットワークデバイスがスケジューリングシグナリングを送信することを含み、前記スケジューリングシグナリングは、前記当前スケジューリングされる伝送ブロックに実際に含まれる符号化ブロックグループ内の一部の符号化ブロックグループの再送を示す。
【００８６】
以上、図１〜図５を参照し、本願の実施例における情報伝送のための方法を説明し、以下、図６を参照し、本願の実施例における端末デバイスを説明し、図６に示すように、端末デバイス１０は、第１処理モジュール１１及び第２処理モジュール１２を含む。
【００８７】
第１処理モジュール１１は、第１数の情報を確定するように構成され、前記第１数の情報は、１つの伝送ブロックに含まれる符号化ブロックグループの数に関連する情報であり、各符号化ブロックグループは、少なくとも１つの符号化ブロックを含む。
【００８８】
前記第１処理モジュール１１は、さらに、第２数の情報を確定するように構成され、前記第２数の情報は、現在にスケジューリングされる伝送ブロックに含まれるビットの総数に関連する情報である。
【００８９】
第２処理モジュール１２は、前記第１数の情報及び前記第２数の情報に基づいて、前記当前スケジューリングされる伝送ブロックに実際に含まれる符号化ブロックグループに関連する情報を確定するように構成される。
【００９０】
そして、本願の実施例における端末デバイスは、１つの伝送ブロックに含まれる符号化ブロックグループの数に関連する情報及び当前スケジューリングされる伝送ブロックに含まれるビットの総数に関連する情報に基づいて、当前スケジューリングされる伝送ブロックに実際に含まれる符号化ブロックグループに関連する情報を確定する。これによって、端末デバイスは、当前スケジューリングされる伝送ブロックに実際に含まれる符号化ブロックグループに関連する情報に基づいて当前スケジューリングされる伝送ブロック中に実際に含まれる符号化ブロックグループの数を確定し、符号化ブロックグループに対しフィードバックを行う場合、符号化ブロックグループの数に基づいて適当の数量のフィードバック情報を確定し、制御シグナリングのオーバヘッドを低減させ、制御シグナリングの復調性能、システム効率を向上させることができる。
【００９１】
本願の実施例において、選択可能で、前記第１数の情報は、１つの伝送ブロックに含まれることができる符号化ブロックグループの最大数を示し、又は、
前記現在にスケジューリングされる伝送ブロックに実際に含まれる符号化ブロックグループの数を示す。
【００９２】
本願の実施例において、選択可能で、前記第２数の情報は、前記当前スケジューリングされる伝送ブロックに含まれるビットの総数を示し、又は、
前記当前スケジューリングされる伝送ブロック内の各符号化ブロックグループに含まれるビットの数を示す。
【００９３】
本願の実施例において、選択可能で、前記当前スケジューリングされる伝送ブロックに実際に含まれる符号化ブロックグループに関連する情報は、前記当前スケジューリングされる伝送ブロックに実際に含まれる符号化ブロックグループの数であり、又は、
前記当前スケジューリングされる伝送ブロックに実際に含まれる符号化ブロックグループに関連する情報は、前記当前スケジューリングされる伝送ブロックに実際に含まれる符号化ブロックグループの数及び各符号化ブロックグループに含まれる符号化ブロックの数である。
【００９４】
本願の実施例において、選択可能で、前記第１数の情報は、１つの伝送ブロックに含まれることができる符号化ブロックグループの最大数を示し、前記当前スケジューリングされる伝送ブロックに実際に含まれる符号化ブロックグループに関連する情報は、前記当前スケジューリングされる伝送ブロックに実際に含まれる符号化ブロックグループの数である。
【００９５】
ここで、前記第２処理モジュール１２は、具体的に、前記第２数の情報に基づいて、前記当前スケジューリングされる伝送ブロックに実際に含まれる符号化ブロックの数を確定し、１つの伝送ブロックに含まれることができる符号化ブロックグループの最大数及び前記伝送ブロックに実際に含まれる符号化ブロックの数に基づいて、前記当前スケジューリングされる伝送ブロックに実際に含まれる符号化ブロックグループの数を確定するように構成される。
【００９６】
本願の実施例において、選択可能で、前記第２処理モジュール１２は、具体的に、１つの伝送ブロックに含まれることができる符号化ブロックグループの最大数及び前記当前スケジューリングされる伝送ブロックに実際に含まれる符号化ブロックの数のうちの小さい値を、前記当前スケジューリングされる伝送ブロックに実際に含まれる符号化ブロックグループの数として確定するように構成される。
【００９７】
本願の実施例において、選択可能で、前記第２処理モジュールは、１つの伝送ブロックに含まれることができる符号化ブロックグループの最大数を前記当前スケジューリングされる伝送ブロックに実際に含まれる符号化ブロックグループの数として確定する場合、さらに、前記当前スケジューリングされる伝送ブロックに実際に含まれる符号化ブロックグループの数及び前記当前スケジューリングされる伝送ブロックに実際に含まれる符号化ブロックの数に基づいて、各符号化ブロックグループに含まれる符号化ブロックの数を確定するように構成される。
【００９８】
本願の実施例において、選択可能で、前記当前スケジューリングされる伝送ブロックに実際に含まれる符号化ブロックグループに関連する情報は、前記当前スケジューリングされる伝送ブロックに実際に含まれる符号化ブロックグループの数及び各符号化ブロックグループに含まれる符号化ブロックの数である。
【００９９】
ここで、前記第２処理モジュール１２は、具体的に、前記第１数の情報が前記現在にスケジューリングされる伝送ブロックに実際に含まれる符号化ブロックグループの数を示すと確定する場合、前記第１数の情報が示す数を前記当前スケジューリングされる伝送ブロックに実際に含まれる符号化グループの数として確定し、前記第２数の情報に基づいて、前記当前スケジューリングされる伝送ブロック内の各符号化ブロックグループに含まれる符号化ブロックの数を確定するように構成される。
【０１００】
本願の実施例において、選択可能で、前記第２処理モジュール１２は、具体的に、前記第２数の情報及び１つの符号化ブロックに含まれることができるビットの最大数に基づいて、各符号化ブロックグループに含まれる符号化ブロックの数を確定するように構成される。
【０１０１】
本願の実施例において、選択可能で、前記各符号化ブロックグループに複数の符号化ブロックが含まれる場合、前記各符号化ブロックグループに含まれる複数の符号化ブロックの番号は、連続したものである。
【０１０２】
本願の実施例において、選択可能で、前記端末デバイスが多種の伝送構成をサポートし、ここで、前記伝送構成は、サービスタイプ構成、伝送時間間隔構成及び基本パラメータセット構成のいずれかを含み、前記第２処理モジュール１２は、さらに、現在の伝送構成に基づいて、１つの符号化ブロックに含まれることができるビットの最大数を確定するように構成される。
【０１０３】
本願の実施例において、選択可能で、前記各符号化ブロックグループに搬送される情報が１つの共通巡回冗長検査ＣＲＣ情報に対応し、且つ、前記各符号化ブロックグループに含まれる各符号化ブロックに搬送される情報が１つの専用ＣＲＣ情報に対応する。
【０１０４】
本願の実施例において、選択可能で、前記当前スケジューリングされる伝送ブロックが下り伝送の伝送ブロックである場合、前記第２処理モジュール１２は、さらに、前記当前スケジューリングされる伝送ブロックに実際に含まれる符号化ブロックグループのうちの伝送失敗した符号化ブロックグループを確定し、前記伝送失敗した符号化ブロックグループに基づいて、フィードバック情報を確定するように構成される。
【０１０５】
本願の実施例において、選択可能で、前記第２処理モジュール１２は、具体的に、第１符号化ブロックグループ内の各符号化ブロックに搬送される情報に対応する専用ＣＲＣ情報に基づいて、前記第１符号化ブロックグループにデコード失敗した符号化ブロックが存在すると確定する場合、前記第１符号化ブロックグループを伝送失敗した符号化ブロックグループとして確定するように構成され、又は、第１符号化ブロックグループに搬送される情報に対応する共通ＣＲＣ情報に基づいて前記第１符号化ブロックグループのチェック失敗すると確定する場合、前記第１符号化ブロックグループを伝送失敗した符号化ブロックグループとして確定するように構成され、前記第１符号化ブロックグループは、前記当前スケジューリングされる伝送ブロックに実際に含まれる符号化ブロックグループのいずれかの符号化ブロックグループである。
【０１０６】
本願の実施例において、選択可能で、図７に示すように、前記端末デバイスは、送受信モジュールをさらに含み１３、前記当前スケジューリングされる伝送ブロックが上り伝送の伝送ブロックである場合、前記送受信モジュール１３は、スケジューリングシグナリングを受信し、一部の符号化ブロックグループを再送するように構成され、前記スケジューリングシグナリングは、前記当前スケジューリングされる伝送ブロックに実際に含まれる符号化ブロックグループ内の一部の符号化ブロックグループの再送を示す。
【０１０７】
本願の実施例における端末デバイスが本願の実施例における方法１００に対応し、さらに、当該端末デバイス内の各ユニット／モジュール及び上記の操作及び／又は機能は、方法１００内のステップを実現し、簡潔のため、ここで説明を省略する。
【０１０８】
図８は本願の実施例におけるネットワークデバイスを示し、図８に示すように、ネットワークデバイス２０は、処理モジュール２１及び送受信モジュール２２を含む。
【０１０９】
処理モジュール２１は、第１数の情報を確定するように構成され、前記第１数の情報は、１つの伝送ブロックに含まれる符号化ブロックグループの数に関連する情報であり、各符号化ブロックグループは、少なくとも１つの符号化ブロックを含む。
【０１１０】
送受信モジュール２２は、端末デバイスに第２数の情報を送信するように構成され、前記第２数の情報は、現在にスケジューリングされる伝送ブロックに含まれるビットの総数に関連する情報である。
【０１１１】
前記処理モジュール２１は、さらに、前記第１数の情報及び前記第２数の情報に基づいて、前記当前スケジューリングされる伝送ブロックに実際に含まれる符号化ブロックグループに関連する情報を確定するように構成される。
【０１１２】
そして、本願の実施例におけるネットワークデバイスによって、１つの伝送ブロックに含まれる符号化ブロックグループの数に関連する情報及び当前スケジューリングされる伝送ブロックに含まれるビットの総数に関連する情報に基づいて、当前スケジューリングされる伝送ブロックに実際に含まれる符号化ブロックグループに関連する情報を確定する。さらに、ネットワークデバイスが端末デバイスに第２数の情報を送信して、端末デバイスが確定した第１数の情報及び受信した第２数の情報に基づいて、当前スケジューリングされる伝送ブロックに実際に含まれる符号化ブロックグループに関連する情報を確定する。これによって、端末デバイス又はネットワークデバイスは、当前スケジューリングされる伝送ブロックに実際に含まれる符号化ブロックグループに関連する情報に基づいて、当前スケジューリングされる伝送ブロックに実際に含まれる符号化グループの数を確定することができ、符号化ブロックグループに対しフィードバックを行う場合、符号化ブロックグループの数に基づいて適当の数量のフィードバック情報を確定し、制御シグナリングのオーバヘッドを低減させ、制御シグナリングの復調性能、システム効率を向上させることができる。
【０１１３】
本願の実施例において、選択可能で、前記当前スケジューリングされる伝送ブロックに実際に含まれる符号化ブロックグループに関連する情報は、前記当前スケジューリングされる伝送ブロックに実際に含まれる符号化ブロックグループの数であり、又は、
前記当前スケジューリングされる伝送ブロックに実際に含まれる符号化ブロックグループに関連する情報は、前記当前スケジューリングされる伝送ブロックに実際に含まれる符号化ブロックグループの数及び各符号化ブロックグループに含まれる符号化ブロックの数である。
【０１１４】
本願の実施例において、選択可能で、前記第１数の情報は、１つの伝送ブロックに含まれることができる符号化ブロックグループの最大数を示し、前記当前スケジューリングされる伝送ブロックに実際に含まれる符号化ブロックグループに関連する情報は、前記当前スケジューリングされる伝送ブロックに実際に含まれる符号化ブロックグループの数である。
【０１１５】
ここで、前記処理モジュール２１は、具体的に、前記第２数の情報に基づいて、前記当前スケジューリングされる伝送ブロックに実際に含まれる符号化ブロックの数を確定し、１つの伝送ブロックに含まれることができる符号化ブロックグループの最大数及び前記伝送ブロックに実際に含まれる符号化ブロックの数に基づいて、前記当前スケジューリングされる伝送ブロックに実際に含まれる符号化ブロックグループの数を確定するように構成される。
【０１１６】
本願の実施例において、選択可能で、前記処理モジュール２１は、具体的に、１つの伝送ブロックに含まれることができる符号化ブロックグループの最大数及び前記当前スケジューリングされる伝送ブロックに実際に含まれる符号化ブロックの数のうちの小さい値を、前記当前スケジューリングされる伝送ブロックに実際に含まれる符号化ブロックグループの数として確定するように構成される。
【０１１７】
本願の実施例において、選択可能で、前記当前スケジューリングされる伝送ブロックが下り伝送の伝送ブロックである場合、前記送受信モジュール２２は、さらに、端末デバイスからのフィードバック情報を受信するように構成される。
前記処理モジュール２１は、さらに、前記フィードバック情報に基づいて、前記当前スケジューリングされる伝送ブロックに実際に含まれる符号化ブロックグループのうちの伝送失敗した符号化ブロックグループを確定するように構成される。
【０１１８】
本願の実施例において、選択可能で、前記当前スケジューリングされる伝送ブロックが上り伝送の伝送ブロックである場合、前記送受信モジュール２２は、さらに、スケジューリングシグナリングを送信するように構成され、前記スケジューリングシグナリングは、前記当前スケジューリングされる伝送ブロックに実際に含まれる符号化ブロックグループ内の一部の符号化ブロックグループの再送を示す。
【０１１９】
本願の実施例におけるネットワークデバイスが本願の実施例における方法２００に対応し、さらに、当該ネットワークデバイス内の各ユニット／モジュール及び上記の操作及び／又は機能は、方法２００内のステップを実現し、簡潔のため、ここで説明を省略する。
【０１２０】
図９は、本願の他の実施例における端末デバイスを示す。図９に示すように、端末デバイス１００は、プロセッサ１１０及び送受信機１２０を含み、プロセッサ１１０と送受信機１２０とが接続され、選択可能で、当該ネットワークデバイス１００は、さらに、メモリ１３０を含み、メモリ１３０とプロセッサ１１０とが接続される。ここで、プロセッサ１１０、メモリ１３０及び送受信機１２０は、内部接続通路で通信する。ここで、前記プロセッサ１１０は、第１数の情報を確定し、第２数の情報を確定し、前記第１数の情報及び前記第２数の情報に基づいて、前記当前スケジューリングされる伝送ブロックに実際に含まれる符号化ブロックグループに関連する情報を確定するように構成され、前記第１数の情報は、１つの伝送ブロックに含まれる符号化ブロックグループの数に関連する情報であり、各符号化ブロックグループは、少なくとも１つの符号化ブロックを含み、前記第２数の情報は、現在にスケジューリングされる伝送ブロックに含まれるビットの総数に関連する情報である。
【０１２１】
そして、本願の実施例における端末デバイスによって、１つの伝送ブロックに含まれる符号化ブロックグループの数に関連する情報及び当前スケジューリングされる伝送ブロックに含まれるビットの総数に関連する情報に基づいて、当前スケジューリングされる伝送ブロックに実際に含まれる符号化ブロックグループに関連する情報を確定する。これによって、端末デバイスは、当前スケジューリングされる伝送ブロックに実際に含まれる符号化ブロックグループに関連する情報に基づいて当前スケジューリングされる伝送ブロック中に実際に含まれる符号化ブロックグループの数を確定し、符号化ブロックグループに対しフィードバックを行う場合、符号化ブロックグループの数に基づいて適当の数量のフィードバック情報を確定し、制御シグナリングのオーバヘッドを低減させ、制御シグナリングの復調性能、システム効率を向上させることができる。
【０１２２】
本願の実施例における端末デバイス１００が本願の実施例における端末デバイス１０に対応し、さらに、当該端末デバイス内の各ユニット／モジュール及び上記の操作及び／又は機能は、方法１００内のステップを実現し、簡潔のため、ここで説明を省略する。
【０１２３】
図１０は本願の他の実施例におけるネットワークデバイスのブロック図を示し、図１０に示すように、ネットワークデバイス２００は、プロセッサ２１０及び送受信機２２０を含み、プロセッサ２１０と送受信機２２０とが接続され、選択可能で、前記端末デバイス２００は、さらに、メモリ２３０を含み、メモリ２３０とプロセッサ２１０とが接続される。ここで、プロセッサ２１０、メモリ２３０及び送受信機２２０は、内部接続通路で通信する。ここで、前記プロセッサ２１０は、第１数の情報を確定するように構成され、前記第１数の情報は、１つの伝送ブロックに含まれる符号化ブロックグループの数に関連する情報であり、各符号化ブロックグループは、少なくとも１つの符号化ブロックを含み、前記送受信機２２０は、端末デバイスに第２数の情報を送信するように構成され、前記第２数の情報は、現在にスケジューリングされる伝送ブロックに含まれるビットの総数に関連する情報であり、前記プロセッサ２１０は、さらに、前記第１数の情報及び前記第２数の情報に基づいて、前記当前スケジューリングされる伝送ブロックに実際に含まれる符号化ブロックグループに関連する情報を確定するように構成される。
【０１２４】
そして、本願の実施例におけるネットワークデバイスによって、１つの伝送ブロックに含まれる符号化ブロックグループの数に関連する情報及び当前スケジューリングされる伝送ブロックに含まれるビットの総数に関連する情報に基づいて、当前スケジューリングされる伝送ブロックに実際に含まれる符号化ブロックグループに関連する情報を確定する。さらに、ネットワークデバイスが端末デバイスに第２数の情報を送信して、端末デバイスが確定した第１数及び受信した第２数の情報に基づいて、当前スケジューリングされる伝送ブロックに実際に含まれる符号化ブロックグループに関連する情報を確定する。これによって、端末デバイス又はネットワークデバイスは、当前スケジューリングされる伝送ブロックに実際に含まれる符号化ブロックグループに関連する情報に基づいて、当前スケジューリングされる伝送ブロックに実際に含まれる符号化グループの数を確定することができ、符号化ブロックグループに対しフィードバックを行う場合、符号化ブロックグループの数に基づいて適当の数量のフィードバック情報を確定し、制御シグナリングのオーバヘッドを低減させ、制御シグナリングの復調性能、システム効率を向上させることができる。
【０１２５】
本願の実施例におけるネットワークデバイス２００が本願の実施例におけるネットワークデバイス２０に対応し、さらに、当該ネットワークデバイス内の各ユニット／モジュール及び上記の操作及び／又は機能は、方法２００内のステップを実現し、簡潔のため、ここで説明を省略する。
なお、本発明の上記方法の実施例のプロセッサは集積回路チップであってもよく、信号処理能力を備えている。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであっても良い。こによって、本願の実施例内の方法、ステップ及びブロック図を実行する。通用プロセッサは、マイクロプロセッサ、通常のプロセッサなどである。
【０１２６】
本発明の実施例におけるメモリは揮発性記憶装置又は不揮発性記憶装置であっても良く、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであっても良い。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であっても良い。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ）である。注意すべきこととして、本明細書に記載のシステムと方法のメモリは、これら、及びいずれかの他の適切なタイプのメモリを含むことを主旨しているが、これらに限定されない。
【０１２７】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１２８】
当業者は、簡潔にするために、上記のシステム、装置及びユニットの動作過程が上記の方法の実施例の過程を参照することができると理解すべきであり、ここで説明を省略する。
【０１２９】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１３０】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１３１】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１３２】
前記機能は、ソフトウェア機能ユニットの方式で実現し、しかも独立した製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１３３】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020511820.tif 000028
【図２】
2020511820.tif 000029
【図３】
2020511820.tif 000030
【図４】
2020511820.tif 000031
【図５】
2020511820.tif 000032
【図６】
2020511820.tif 000033
【図７】
2020511820.tif 000034
【図８】
2020511820.tif 000035
【図９】
2020511820.tif 000036
【図１０】
2020511820.tif 000037
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
端末デバイスが第１数の情報を確定することと、
前記端末デバイスが前記第１数の情報及び第２数の情報に基づいて、現在にスケジューリングされる伝送ブロックに実際に含まれる符号化ブロックグループに関連する情報を確定することとを含み、
前記第１数の情報は、１つの伝送ブロックに含まれる符号化ブロックグループの数に関連する情報であり、各符号化ブロックグループは、少なくとも１つの符号化ブロックを含み、
前記第２数の情報は、現在にスケジューリングされる伝送ブロックに含まれるビットの総数に関連する情報である
ことを特徴とする情報伝送のための方法。
【請求項２】
前記各符号化ブロックグループに搬送される情報が１つの共通巡回冗長検査ＣＲＣ情報に対応する
ことを特徴とする請求項１に記載の情報伝送のための方法。
【請求項３】
前記当前スケジューリングされる伝送ブロックに実際に含まれる符号化ブロックグループに関連する情報は、
前記当前スケジューリングされる伝送ブロックに実際に含まれる符号化ブロックグループの数であり、又は、
前記当前スケジューリングされる伝送ブロックに実際に含まれる符号化ブロックグループの数及び各符号化ブロックグループに含まれる符号化ブロックの数である
ことを特徴とする請求項１〜２のいずれか１項に記載の情報伝送のための方法。
【請求項４】
前記第１数の情報は、１つの伝送ブロックに含まれることができる符号化ブロックグループの最大数を示し、
前記当前スケジューリングされる伝送ブロックに実際に含まれる符号化ブロックグループに関連する情報は、前記当前スケジューリングされる伝送ブロックに実際に含まれる符号化ブロックグループの数であり、
前記端末デバイスが前記第１数の情報及び前記第２数の情報に基づいて、現在にスケジューリングされる伝送ブロックに実際に含まれる符号化ブロックグループに関連する情報を確定することは、
前記端末デバイスが前記第２数の情報に基づいて、前記当前スケジューリングされる伝送ブロックに実際に含まれる符号化ブロックの数を確定することと、
前記端末デバイスが１つの伝送ブロックに含まれることができる符号化ブロックグループの最大数及び前記伝送ブロックに実際に含まれる符号化ブロックの数に基づいて、前記当前スケジューリングされる伝送ブロックに実際に含まれる符号化ブロックグループの数を確定することとを含む
ことを特徴とする請求項３に記載の情報伝送のための方法。
【請求項５】
前記端末デバイスが１つの伝送ブロックに含まれることができる符号化ブロックグループの最大数及び前記当前スケジューリングされる伝送ブロックに実際に含まれる符号化ブロックの数に基づいて、前記当前スケジューリングされる伝送ブロックに実際に含まれる符号化ブロックグループの数を確定することは、
前記端末デバイスが、１つの伝送ブロックに含まれることができる符号化ブロックグループの最大数及び前記当前スケジューリングされる伝送ブロックに実際に含まれる符号化ブロックの数のうちの小さい値を、前記当前スケジューリングされる伝送ブロックに実際に含まれる符号化ブロックグループの数として確定することを含む
ことを特徴とする請求項４に記載の情報伝送のための方法。
【請求項６】
前記端末デバイスが１つの伝送ブロックに含まれることができる符号化ブロックグループの最大数を、前記当前スケジューリングされる伝送ブロックに実際に含まれる符号化ブロックグループの数として確定する場合、
前記方法は、さらに、
前記端末デバイスが前記当前スケジューリングされる伝送ブロックに実際に含まれる符号化ブロックグループの数及び前記当前スケジューリングされる伝送ブロックに実際に含まれる符号化ブロックの数に基づいて、各符号化ブロックグループに含まれる符号化ブロックの数を確定することを含む
ことを特徴とする請求項４又は５に記載の情報伝送のための方法。
【請求項７】
前記各符号化ブロックグループに複数の符号化ブロックが含まれる場合、前記各符号化ブロックグループに含まれる複数の符号化ブロックの番号は、連続したものである
ことを特徴とする請求項１〜６のいずれか１項に記載の情報伝送のための方法。
【請求項８】
第１数の情報を確定するように構成される第１処理モジュールと、
前記第１数の情報及び第２数の情報に基づいて、当前スケジューリングされる伝送ブロックに実際に含まれる符号化ブロックグループに関連する情報を確定するように構成される第２処理モジュールとを含み、
前記第１数の情報は、１つの伝送ブロックに含まれる符号化ブロックグループの数に関連する情報であり、各符号化ブロックグループは、少なくとも１つの符号化ブロックを含み、
前記第２数の情報は、現在にスケジューリングされる伝送ブロックに含まれるビットの総数に関連する情報である
ことを特徴とする端末デバイス。
【請求項９】
前記第１数の情報は、１つの伝送ブロックに含まれることができる符号化ブロックグループの最大数を示し、又は、
前記現在にスケジューリングされる伝送ブロックに実際に含まれる符号化ブロックグループの数を示す
ことを特徴とする請求項８に記載の端末デバイス。
【請求項１０】
前記各符号化ブロックグループに搬送される情報が１つの共通巡回冗長検査ＣＲＣ情報に対応する
ことを特徴とする請求項８に記載の端末デバイス。
【請求項１１】
前記当前スケジューリングされる伝送ブロックに実際に含まれる符号化ブロックグループに関連する情報は、前記当前スケジューリングされる伝送ブロックに実際に含まれる符号化ブロックグループの数であり、又は、
前記当前スケジューリングされる伝送ブロックに実際に含まれる符号化ブロックグループの数及び各符号化ブロックグループに含まれる符号化ブロックの数である
ことを特徴とする請求項８〜１０のいずれか１項に記載の端末デバイス。
【請求項１２】
前記第１数の情報は、１つの伝送ブロックに含まれることができる符号化ブロックグループの最大数を示し、前記当前スケジューリングされる伝送ブロックに実際に含まれる符号化ブロックグループに関連する情報は、前記当前スケジューリングされる伝送ブロックに実際に含まれる符号化ブロックグループの数であり、
前記第２処理モジュールは、
前記第２数の情報に基づいて、前記当前スケジューリングされる伝送ブロックに実際に含まれる符号化ブロックの数を確定し、
１つの伝送ブロックに含まれることができる符号化ブロックグループの最大数及び前記伝送ブロックに実際に含まれる符号化ブロックの数に基づいて、前記当前スケジューリングされる伝送ブロックに実際に含まれる符号化ブロックグループの数を確定するように構成される
ことを特徴とする請求項１１に記載の端末デバイス。
【請求項１３】
前記第２処理モジュールは、
１つの伝送ブロックに含まれることができる符号化ブロックグループの最大数及び前記当前スケジューリングされる伝送ブロックに実際に含まれる符号化ブロックの数のうちの小さい値を、前記当前スケジューリングされる伝送ブロックに実際に含まれる符号化ブロックグループの数として確定するように構成される
ことを特徴とする請求項１２に記載の端末デバイス。
【請求項１４】
前記第２処理モジュールは、１つの伝送ブロックに含まれることができる符号化ブロックグループの最大数を前記当前スケジューリングされる伝送ブロックに実際に含まれる符号化ブロックグループの数として確定する場合、
前記当前スケジューリングされる伝送ブロックに実際に含まれる符号化ブロックグループの数及び前記当前スケジューリングされる伝送ブロックに実際に含まれる符号化ブロックの数に基づいて、各符号化ブロックグループに含まれる符号化ブロックの数を確定するように構成される
ことを特徴とする請求項１２又は１３に記載の端末デバイス。
【請求項１５】
前記各符号化ブロックグループに複数の符号化ブロックが含まれる場合、前記各符号化ブロックグループに含まれる複数の符号化ブロックの番号は、連続したものである
ことを特徴とする請求項８〜１４のいずれか１項に記載の端末デバイス。
【国際調査報告】
2020511820.tif 000038
2020511820.tif 000039
2020511820.tif 000040
2020511820.tif 000041